(57)【特許請求の範囲】
【請求項１】
釘若しくはネジ等の軸状の固定具を平行に並べて軸方向に保持する連結体が、前記固定具を軸方向に変位させる入力手段の押圧力によって分離して扁平に変形可能な素材で形成されると共に、前記連結体に、防蟻剤若しくは防虫剤の少なくともいずれかが塗布若しくは含浸されていることを特徴とする連結固定具。
【請求項２】
前記連結体は前記軸方向に作用する押圧力により扁平に変形されるときに、前記固定具の座金となるように変形することを特徴とする連結固定具。
【発明の詳細な説明】
【０００１】
【発明の属する技術分野】
本発明は、釘打ち機等により打込可能な連結固定具に関する。
【０００２】
【従来の技術】
従来、釘を帯状の紙などに連結した連結釘が知られている。この連結釘は、釘の中間部等を細幅の紙或いは樹脂等に接着したものであり、釘打ち機に装填されて対象物に１本ずつ打ち込まれるたびに、次の釘が打込用ドライバーの前方に供給されるようになっている。
【０００３】
多数平行に保持されている釘は、紙或いは樹脂若しくは針金等からなる連結体に対して、プラスチック接着剤などにより硬く固着されたり、溶接されている。
【０００４】
【発明が解決しようとする課題】
しかしながら、従来の連結釘の場合には、釘打ち機から打ち込まれるときには、連結体が切断分離されるようになっており、打ち込まれた釘と共に対象物中に入り込んだり、廃棄されたり、施工場所の外側に飛散するのが通常である。このため、施工時に飛散した破片により床面等を汚したり、作業後の清掃作業の手間がかかる等の不具合がある。
【０００５】
本発明は、このような事情に着目してなされたものであり、施工時に飛散したり、廃棄や清掃作業の手間がかからず、加えて、防蟻・防虫効果のある連結釘を提供しようとするものである。
【０００６】
【課題を解決するための手段】
上記課題を解決するために、本発明にかかる連結固定具は、釘若しくはネジ等の軸状の固定具を平行に並べて軸方向に保持する連結体が、前記固定具を軸方向に変位させる入力手段の押圧力によって分離して飛散せずに扁平に変形可能な素材で形成されると共に、防蟻剤若しくは防虫剤の少なくともいずれかが塗布若しくは含浸されていることを特徴とする。
【０００７】
また、上記連結固定具は、前記連結体は前記軸方向に作用する押圧力により扁平に変形されるときに、前記固定具の座金となるように変形することを特徴とする。
【０００８】
【発明の実施の形態】
以下、本発明の実施の形態にかかる連結固定具を図面に基づいて説明する。
図１は第１の実施の形態にかかる連結固定具としての連結釘を図示したものである。釘１は多孔質で軟質の発泡プラスチック（例えば発泡ウレタン等）や紙等からなる連結体２に保持されており、連結体２が釘１を保持する力は、釘打ち機の釘打ち用の棒状のドライバー（入力手段）によって打たれたときに、釘１が連結体２から軸方向にスライド可能な程度とされ、厚さなどにより連結体２が膨張しても緩まない程度とされている。連結体２には、円筒部３が多数連なるように形成され、隣り合う円筒部３同士は連結されている。円筒部３の中心部には釘１が保持されているが、ネジやステープルを連結体２に保持させても良い。
【０００９】
連結体２には、市販されている周知の防蟻剤や防虫剤が含浸されているが、塗布により含まれていても良い。
【００１０】
防虫剤若しくは防蟻剤としては、例えば、ＣＣＡ木材防腐剤、ウオルマン塩素防腐剤、ナフテン酸銅・ナフテン酸亜鉛等のナフテン酸金属塩、クロルデン、クロルナフタレン、ホウ酸、ホキシム、フェニトロチオン、Ｓ−４２１（オクタクロロジプロピルエーテル）、ピリダフェンチオン、クロルピリホス等の有機塩素剤との混合物から浸透性の良いものを選択する。
【００１１】
この連結釘を釘打ち機で打ち込むときには、連結体２の円筒部３が釘１を案内して釘１の打込方向を一定に定めるので、釘１が床面等に対して垂直に打ち込まれることとなる。また、釘打ち機で打ち込むときに、図２に示すように、連結体２の円筒部３が分離して床面４等に打ち込まれる。床面４に釘１が打ち込まれると、円筒部３が床面と釘１の頭部の皿状の部分との間に挟まれて、座金状に扁平になり、防蟻剤或いは防虫剤が空気中に晒されたり、床面４等に進入する。
【００１２】
図３は、本発明の第２の実施の形態にかかる連結固定具としての連結釘を示す。
【００１３】
この連結釘５は、平面が正方形で直方体の形状を有する連結部材６に釘７が保持されている。連結部材６は複数個のものが互いに剥離可能に接着されて連結体８を構成している。連結部材６同士を剥離可能に接着する接着剤は接着力が弱いものか、若しくは、連結部材６の一部を部分的に接着する。
【００１４】
連結部材６は例えば発泡ウレタンや発泡スチロール等の柔らかい発泡性樹脂や軟質の樹脂或いは一重又は複数重ねた厚紙等で構成されており、防虫剤若しくは防蟻剤の少なくともいずれかが含浸されている。なお、釘７の代わりにネジやステープルを連結体８に保持させても良い。釘７は連結部材６に対して緩くはないが回転可能・スライド移動可能に保持されている。なお、連結部材６の下面に同じ平面形状でミシン目等の分離線を設けた紙を貼り合わせて連結部材６を保持しても良い。この場合、紙にも防虫剤若しくは防蟻剤の少なくともいずれかを含浸若しくは塗布しておくと良い。防虫剤・防蟻剤は第１の実施の形態において説明したものを用いる。
【００１５】
釘打ち機等で連結釘５を打つ場合には、釘打ち機の打ち込み用のロッドで釘７を打ち込むと、連結部材６が後の連結部材６から分離し、打ち込まれた釘７の頭部と板材との間で連結部材６が扁平に座金状に潰れて板材に防虫剤・防蟻剤が浸透する。
【００１６】
図４は、本発明の第３の実施の形態にかかる連結固定具としての連結釘を示す。
【００１７】
この連結釘９は、図３に示すものと同様な連結部材６に釘７を保持させたものである。個々の連結部材６同士は、予め分離されており、一対の接着テープ１０によって連結部材６は接着されている。複数の連結部材６は一対の接着テープ１０に保持されて連結体８を構成している。連結部材６は、例えば発泡ウレタンや発泡スチロール等の柔らかい発泡性樹脂や軟質の樹脂或いは一重又は複数重ねた厚紙等で構成されており、防虫剤若しくは防蟻剤の少なくともいずれかが含浸されている。連結体８の防虫剤・防蟻剤は第１の実施の形態において説明したものを用いる。
【００１８】
釘打ち機等で連結釘９を打つ場合には一対の接着テープ１０を連結部材６から剥がし、釘打ち機の打ち込み用のロッドで釘７を打ち込むと、連結部材６が釘７の頭部と板材との間で座金状に扁平に潰れて板材に防虫剤・防蟻剤が浸透する。その他の構成は図３のものと同様であるのでその説明を援用する。
【００１９】
図５は、本発明の第４の実施の形態にかかる連結固定具としての連結釘を示す。  この連結釘１１は薄い六角柱状の連結部材１２に釘１３を保持させたものである。個々の連結部材１２同士は、予め分離されており、軽い粘着力により剥離可能に連結されている。連結部材１２は、例えば発泡ウレタンや発泡スチロール等の柔らかい発泡性樹脂や軟質の樹脂或いは一重又は複数重ねた厚紙等で構成されており、防虫剤若しくは防蟻剤の少なくともいずれかが含浸されている。連結部材１２の防虫剤・防蟻剤は第１の実施の形態において説明したものを用いる。複数の連結部材１２は互いに接着剤により接着されて連結体１４を構成している。なお、連結部材１２の下面に連結状態を維持するための紙層を設け、この紙に分離のためのミシン目を加工しておいてもよい。この場合、紙にも防虫剤若しくは防蟻剤の少なくともいずれかを含浸若しくは塗布しておく。
【００２０】
釘打ち機の打ち込み用のロッドで釘１３を打ち込むと、連結部材１２が釘１３の頭部と板材との間で座金状に扁平に潰れて板材に防虫剤・防蟻剤が浸透する。その他の構成は図３のものと同様であるのでその説明を援用する。
【００２１】
図６は、本発明の第５の実施の形態にかかる連結固定具としての連結釘を示す。
【００２２】
この連結釘１５は、図３に示すものと同様な連結部材１６に釘１７を保持させたものである。個々の連結部材１６同士の間には、溝１８が予め形成されており、溝１８の底部は連なっている。複数の連結部材１６は互いに連結されて連結体１９を構成している。連結部材１６は、例えば発泡ウレタンや発泡スチロール等の柔らかい発泡性樹脂や軟質の樹脂或いは一重又は複数重ねた厚紙等で構成されており、防虫剤若しくは防蟻剤の少なくともいずれかが含浸されている。連結部材１６の防虫剤・防蟻剤は第１の実施の形態において説明したものを用いる。
【００２３】
釘打ち機等で連結釘１９を打つ場合には、釘打ち機の打ち込み用のロッドで釘１７を打ち込むと、連結部材１６が釘１７の頭部と板材との間で座金状に扁平に潰れて板材に防虫剤・防蟻剤が浸透する。その他の構成は図３のものと同様であるのでその説明を援用する。なお、連結部材１６を溝１８によらずに分離して接着テープ２０により接着・保持させても良い。
【００２４】
図７は、本発明の第６の実施の形態にかかる連結固定具としての連結釘を示す。
【００２５】
この連結釘２１は薄い円柱状の連結部材２２に釘２３を保持させたものである。個々の連結部材２２同士は、連結部２４を介して連結されている。連結部２４は分断しやすくなっている。なお、連結部材２４の下面に連結状態を維持するための紙層を設け、この紙に分離のためのミシン目を加工しておいてもよい。この場合、紙にも防虫剤若しくは防蟻剤の少なくともいずれかを含浸若しくは塗布しておくと良い。
【００２６】
複数の連結部材２２は互いに連結部２４により連結されて連結体２５を構成している。連結部材２２は、例えば発泡ウレタンや発泡スチロール等の柔らかい発泡性樹脂や軟質の樹脂或いは一重又は複数重ねた厚紙等で構成されており、防虫剤若しくは防蟻剤の少なくともいずれかが含浸されている。連結部材２４の防虫剤・防蟻剤は第１の実施の形態において説明したものを用いる。
【００２７】
釘打ち機の打ち込み用のロッドで釘２３を打ち込むと、連結部材２２が連結部２４から分離され、釘２３の頭部と板材との間で座金状に扁平に潰れて板材に防虫剤・防蟻剤が浸透する。その他の構成は図３のものと同様であるのでその説明を援用する。
【００２８】
図８は、本発明の第７の実施の形態にかかる連結固定具としての連結釘を示す。
【００２９】
この連結釘２６は直方体形状の連結部材２７に釘２８を保持させたものである。個々の連結部材２７同士の間には、少しずつ段差部２９が設けられており、隣り合う連結部材２７同士は釘２８の軸方向へのせん断力により分離可能に連結されている。勿論、連結部材２７同士の間に切り込み等を設けてもよい。
【００３０】
複数の連結部材２７は互いに連結されて連結体３０を構成している。連結部材２７は、例えば発泡ウレタンや発泡スチロール等の柔らかい発泡性樹脂や軟質の樹脂或いは一重又は複数重ねた厚紙等で構成されており、防虫剤若しくは防蟻剤の少なくともいずれかが含浸されている。連結部材２７の防虫剤・防蟻剤は第１の実施の形態において説明したものを用いる。
【００３１】
釘打ち機の打ち込み用のロッドで釘２８を打ち込むと、連結部材２７が段差部２９に働くせん断力により分断され、釘２８の頭部と板材との間で座金状に扁平に潰れて板材に防虫剤・防蟻剤が浸透する。その他の構成は図３のものと同様であるのでその説明を援用する。
【００３２】
上記の第１乃至第７の実施の形態にかかる連結固定具において、前記連結部材２、８、１４、１９、２５、３０は釘打ち機のドライバーにより板材に打ち込まれるときに、釘１，７，１３，２３，２８の頭部と板材に挟まれて座金状に扁平に変形して板材に密着するので、連結部材に含まれていた防虫剤・防蟻剤が板材に含浸可能であると共に、緩みを防止可能なものであるが、ドライバーによって打ち込まれたときに飛散するように構成されていても良い。また、釘１，７，１３，２３，２８の代わりにネジでも良い。
【００３３】
【発明の効果】
本発明の請求項１乃至請求項３の連結固定具によれば、連結体が釘又はネジを軸方向にスライド可能に保持しているので、釘打ち機に装填することができ、釘打ち機の釘打ち用ドライバにより打ち込むときに、釘の打込方向を一定に定めることができる。
【００３４】
また、連結体に防蟻剤・防虫剤のいずれかが塗布又は含浸されており、扁平に変形可能であるので、釘を床面等に打ち込んだときに、床面や壁面等に防蟻剤若しくは防虫剤を含ませることができ、防蟻・防虫効果を発揮することができると共に、座金状に扁平に変形するので、釘或いはネジの緩みを防止できるという効果も得られる。
【図面の簡単な説明】
【図１】本発明の第１の実施の形態にかかる連結固定具の概略斜視図。
【図２】図１の釘を打ち込んだときに扁平になる連結体固定具の形状を示す説明図。
【図３】本発明の第２の実施の形態にかかる連結固定具の概略斜視図。
【図４】本発明の第３の実施の形態にかかる連結固定具の概略斜視図。
【図５】本発明の第４の実施の形態にかかる連結固定具の概略斜視図。
【図６】本発明の第５の実施の形態にかかる連結固定具の概略斜視図。
【図７】本発明の第６の実施の形態にかかる連結固定具の概略斜視図。
【図８】本発明の第７の実施の形態にかかる連結固定具の概略斜視図。
【符号の説明】
１  釘
２  連結体
３  円筒部
４  床面
５  連結釘
６  連結部材
７  釘
８  連結体
９  連結釘
１１  連結釘
１２  連結部材
１３  釘
１５  連結釘
１６  連結部材
１７  釘
２１  連結釘
２２  連結部材
２３  釘
２６  連結釘
２７  連結部材
２８  釘
２９  段差部
【図１】
0004016698.tif 000002
【図２】
0004016698.tif 000003
【図３】
0004016698.tif 000004
【図４】
0004016698.tif 000005
【図５】
0004016698.tif 000006
【図６】
0004016698.tif 000007
【図７】
0004016698.tif 000008
【図８】
0004016698.tif 000009